(57)【特許請求の範囲】
【請求項１】
家屋の外壁に臨んで開口する換気ダクトの屋外開口端に装着される屋外端末部品であって、
前記換気ダクトと連通させる孔が形成された背板を有するベースと、
前記ベースを覆う着脱可能のカバーとを備え、
前記背板の外側面において、前記背板の端部から前記孔に向かって所定距離の位置に、前記カバーと反対側に向かって所定距離突き出して、前記孔を囲む突出部が形成され、
前記ベースが、前記背板の両側部から折り曲げにより前記カバー側に略直角に突き出した２つの側部立上りを有し、
前記２つの側部立上りの外面と前記カバーの両側部の内面とは、前記カバーが前記ベースに装着された状態で、二重構造を形成するように互いに面接触している屋外端末部品。
【請求項２】
請求項１に記載の屋外端末部品であって、前記ベースの背板の上部からカバー側に突き出し、前記カバーの上部が取り付けられる立上りを備えた屋外端末部品。
【請求項３】
請求項２に記載の屋外端末部品であって、前記ベースの背板の立上りに溝が形成され、前記カバーの上部に、前記背板の立上りに形成された溝に係合する溝が形成された屋外端末部品。
【請求項４】
請求項１〜請求項３までのいずれか１項に記載の屋外端末部品であって、前記突出部は、孔の上部と両側とに形成された屋外端末部品。
【請求項５】
請求項１〜請求項４までのいずれか１項に記載の屋外端末部品であって、前記背板の孔が形成された部分と前記突出部とで囲まれた部分は凹状である屋外端末部品。
【請求項６】
請求項１〜請求項５までのいずれか１項に記載の屋外端末部品であって、ベースを板金製とし、突出部を折り曲げによって一体に形成した屋外端末部品。
【請求項７】
家屋の外壁に臨んで開口する換気ダクトの屋外開口端への屋外端末部品の装着方法であって、
前記屋外端末部品は、
前記換気ダクトと連通させる孔が形成された背板を有するベースと、
前記ベースを覆う着脱可能のカバーとを備え、
前記背板の外側面において、前記背板の端部から前記孔に向かって所定距離の位置に、前記カバーと反対側に向かって所定距離突き出して、前記孔を囲む突出部が形成され、前記ベースが、前記背板の両側部から折り曲げにより前記カバー側に略直角に突き出した２つの側部立上りを有するものであり、
前記ベースを前記屋外開口端に装着し、
前記突出部における前記孔と反対側の面と、前記背板における前記突出部が形成された面と、前記外壁とで囲まれる溝に沿ってコーキングノズルの先端を動かして、前記溝にコーキング材を充填し、
前記ベースにカバーを装着し、
前記２つの側部立上りの外面と前記カバーの両側部の内面とは、前記カバーが前記ベースに装着された状態で、二重構造を形成するように互いに面接触していることを特徴とする屋外端末部品の装着方法。
【請求項８】
請求項７に記載の屋外端末部品の装着方法であって、
前記溝の幅が７ｍｍ〜９ｍｍであり、
先端の径が５ｍｍ〜６ｍｍのコーキングノズルによって前記溝にコーキング材を充填することを特徴とする屋外端末部品の装着方法。
【発明の詳細な説明】
【技術分野】
【０００１】
本発明は、家屋の外壁に臨んで開口する換気ダクトの屋外開口端に装着される屋外端末部品に関するものである。
【背景技術】
【０００２】
家屋の外壁に臨んで開口する換気ダクトの屋外開口端に装着される屋外端末部品は、換気ダクトの屋外開口端から風雨の浸入を防止するもので、換気ダクトの屋外開口端に装着される枠体とこれの外側を、下部の通気開口部を残して覆うフードを備えている。フードは片屋根状や球面形、角形など種々のものがある。なお、この種の従来技術としては、特許文献１や特許文献２に開示されている。
【０００３】
【特許文献１】特開平１１−２８１１１２号公報
【特許文献２】特開平６−９４２７７号公報
【発明の開示】
【発明が解決しようとする課題】
【０００４】
フードの形態は角形でも片屋根状でも、施工にあたっては枠体に装着した後、屋外側壁面との間に隙間が出来ないようコーキング材が充填される。コーキングは絞り形成された湾曲形状のものより、曲げ形成された直線形状のものの方が施工し易いが、いずれも面倒でもマスキングテープ等を屋外側壁面に貼り付けておいて行われる。コーキングの形態は当たり面が二面の断面形状が三角形になる三角コーキングや、当たり面が三面の断面形状が四角形になる四角コーキングが採用されているが、水密機能は四角コーキングの方が優れている。しかし、これまでのものは、コーキングを施してしまえば、コーキングを剥がさないとフードも枠体も取り外すことができず、保守点検が困難であり大変し辛いし、交換も大変である。
【０００５】
本発明は、上記した従来の問題点を解決するためになされたもので、四角コーキングを外観性良く容易に施すことができ、コーキングを壊して剥がさなくてもカバーの取り外しが可能な、保守点検及び交換もし易い屋外端末部品を得ることである。
【課題を解決するための手段】
【０００６】
上記目的を達成するために本発明は、家屋の外壁に臨んで開口する換気ダクトの屋外開口端に装着され、この屋外開口端からの風雨の浸入を防止する屋外端末部品について、換気ダクトの屋外開口端に接続するパイプガイドと外壁面に沿う孔開きの方形の背板を有するベースの屋外側をフード状に覆う着脱可能のカバーとを備え、背板の孔を屋外側壁面に当たる突出部で囲み、背板の外周の背面と、屋外側壁面と突出部とにより屋外側壁面に沿って開放するコの字状の一連の溝を形成し、この溝にコーキング材を充填する手段を採用する。
【発明の効果】
【０００７】
本発明によれば、コーキングはベースの背板の外周の背面と、屋外側壁面と背板の突出部により形成されるコの字状の溝において行われるので、ベースに取付けられるカバーは、コーキングとは分離しており、自由に着脱することができる。溝は屋外側壁面に沿って開放したコの字状の一連の溝であるので、コーキング材の充填は容易でマスキングテープ等を貼らなくても外観性よくコーキングすることができる。そして、カバーの装着によりコーキング部分は直接目視できないので建物の外観性も損なわない。即ち、保守点検及び交換もし易い屋外端末部品が得られる。
【発明を実施するための最良の形態】
【０００８】
本発明の屋外端末部品は、家屋の外壁に臨んで開口する換気ダクトの屋外開口端に装着され、この屋外開口端からの風雨の浸入を防止するものである。この屋外端末部品は、換気ダクトの屋外開口端に接続するパイプガイドと外壁面に沿う孔開きの方形の背板を有するベースの屋外側をフード状に覆う着脱可能のカバーとで構成されている。背板の孔は屋外側壁面に当接する突出部で囲まれている。そして、背板の外周の背面と、屋外側壁面と突出部とにより屋外側壁面に沿って開放するコの字状の一連の溝が形成される。この溝にコーキング材が充填される。コーキング材は、背板の外周の背面と突出部の一面と屋外側壁面の一部が密接する、当たり面が三面の断面形状が四角形になる四角コーキングとなる。
【０００９】
本発明によれば、コーキングはベースの背板の外周の背面と、屋外側壁面と背板の突出部により形成されるコの字状の溝において行われるので、ベースに取付けられるカバーは、コーキングとは分離しており、自由に着脱することができる。溝は屋外側壁面に沿って開放したコの字状の一連の溝であるので、コーキング材の充填は溝に沿ってコーキングノズルの先を動かしていけばよく、マスキングテープ等を貼らなくても外観性よくコーキングすることができる。
【００１０】
実施の形態１．
図１は、本実施の形態の換気系の屋外端末部品についての分解斜視図、図２は、図１のＡ―Ａ線の断面図、図３は、カバーの形態を示す展開図、図４は、屋外端末部品の取付け作業を示す説明図、図５は、コーキング部分を示す拡大断面図である。
【００１１】
本実施の形態は、換気系（給気系・排気系を含む）の屋外端末部品に関するもので、図４に示すように家屋の外壁に臨んで開口する換気ダクト１の屋外開口端に装着され、換気ダクト１の屋外開口端からの風雨の浸入を防止するものである。この屋外端末部品は図２に示すように、換気ダクト１の屋外開口端に屋外側から嵌め装着される板金製のベース２と、このベース２に係脱可能に装着される板金製のカバー３を主体に構成されている。
【００１２】
ベース２は、四方形の背板４の中央に開けられた丸孔５に、一端にフランジの付いたパイプガイド６が取付けられている。パイプガイド６には数個の反り付きの板ばね（図示しない）が装着されていて、換気ダクト１に屋外開口端から嵌め込まれ、これらの板ばねによって背板４を外壁に沿って保持する。背板４には丸孔５の外側を囲むように四方形をなして背後に７ｍｍ〜９ｍｍ程度突き出すフランジ状の突出部７が折り曲げによって形成されている（図１，図２参照）。この突出部７は背板４の剛性を高めるリブの機能も果たしているが、ベース２を換気ダクト１の屋外開口端に装着し、屋外側壁面との間にコーキング材８を充填する際の充填部分を画成することが主要機能である。
【００１３】
背板４の上部と両側には折り曲げにより屋外側に略直角に突き出す方形のフラップ状の立上り９が形成されている（図１，図２参照）。上部の立上り９にはその長辺に沿って丸底の嵌込み溝１０が形成されている。両側の立上り９は、上部の立上り９より幅広に形成され、その下縁には直角に内側に曲げ込まれた取付部１１が設けられている。また、下部には斜めに屋外側へ張り出した水切り板１２がエプロン状に形成されている。
【００１４】
ベース２を換気ダクト１の屋外開口端に装着した状態では、背板４の突出部７の突出端が換気ダクト１の屋外開口端の開口した外壁の屋外側壁面１３に当接する（図４，図５参照）。突出部７により背板４の丸孔５の周りは凹状に窪み、背板４の背面と屋外側壁面１３との間には若干の隙間１４が形成される。この隙間１４により施工上のばらつき等で換気ダクト１の屋外開口端が屋外側壁面１３から若干突き出していても突き出し分を吸収でき、ベース２を安定良く取付けることができる。そして、突出部７の上面と、突出部７の外側の背板部分と、外壁の屋外側壁面１３とで換気ダクト１の屋外開口端を角形をなして囲む屋外側壁面１３に沿って開放したコの字形の溝幅７ｍｍ〜９ｍｍ程の一連の溝１５が形成される。この溝１５は、コーキング材８を充填する際の充填部分となり、コーキング材８を充填するためのコーキングノズル１６の先端（径５ｍｍ〜６ｍｍ）が溝１５をガイドとして溝１５に沿って動かし易い寸法に選定されている。
【００１５】
カバー３は、ベース２の屋外側を、下部を除いて被覆する方形の箱形状を基本としている。図３に示すような展開形状の板金材を曲げ形成し、接合部を溶接して作られている。天面となる上面は、完全に閉蓋される形態でも下り勾配の庇片１７を図１に示すように切り曲げた開放形態でもよい。上面の奥側には横方向に丸底の嵌込み溝１８が形成されている。この嵌込み溝１８は、ベース２の上部に設けた嵌込み溝１０に外側から係合し、カバー３のベース２への取付構造の一部をなす。また、突出部７同様、当該部の剛性を高める機能も果たす。
【００１６】
カバー３の下部は基本的には開放していて、屋外端末部品の実質的な屋外換気口を形成するが、この部分に一体又は図３のように別構成のギャラリ１９が設けられている。なお、別体のギャラリ１９では、溶接によりカバー３の下部の開口部に固着される。ギャラリ１９自体は、数枚の垂下状のブレードと枠部で構成され、枠部においてベース２の両側の立上り９の下縁に設けられた取付部１１にネジ２０によって締結される（図４参照）。ブレードの屋外側壁面１３側のものは、ベース２の水切り板１２と略平行な勾配が付けられ、水切り板１２の上方に水切り板１２と並んで前方へ張り出し止水板を形成している。
【００１７】
カバー３とベース２の取付構造は、上部の嵌込み溝１０，１８と下部のネジ２０である。下部のネジ２０については、バネ片等でも良い。ギャラリ１９のブレードの間の換気開口には必要に応じ防虫ネットなどが張設される。ベース２にカバー３を取付けた状態では、ベース２の両側の立上り９がカバー３の両側面の内側に重なり、この部分を二重構造にしていて外部からの衝撃に対する高い耐性を持っている。
【００１８】
この換気系の屋外端末部品は、ベース２のパイプガイド６を換気ダクト１の屋外開口端から差し込んでベース２を装着し、このベース２の屋外側をカバー３の装着により被覆することにより機能態となる。パイプガイド６を換気ダクト１へ嵌め込んだ状態では、ベース２の背板４の突出部７の突出端が換気ダクト１の屋外開口端の開口した外壁の屋外側壁面１３に当接する。突出部７により背板４の背面と屋外側壁面１３との間には若干の隙間１４が形成される。この隙間１４により施工上のばらつき等で換気ダクト１の屋外開口端が屋外側壁面１３から若干突き出していても突き出し分を吸収でき、ベース２を安定良く取付けることができる。
【００１９】
屋外側壁面１３に沿って開放したコの字状の溝１５にコーキング材８を充填し、背板４と屋外側壁面１３とを密着強度の高い四角コーキングする（図４，図５参照）。なお、背板４の丸孔５の下側については必ずしもコーキングする必要はない。このコーキングの作業は溝１５が直線状であり、溝１５が屋外側壁面１３に沿って開放しており、溝縁をガイドにして行うことができ、屋外側壁面１３にマスキングテープ等をしなくてもはみ出しも生じない、外観性能の良い仕上がりに手際よく行うことができる。コーキングしたベース２にカバー３を装着すると、コーキング部分は直接目視できず隠蔽される。そして、清掃等メンテナンス時には、コーキングを切り剥がすことなく、ベース２からカバー３を外すことができるので、容易にメンテナンスや交換も行うことができる。
【図面の簡単な説明】
【００２０】
【図１】換気系の屋外端末部品についての分解斜視図である。（実施の形態１）
【図２】図１のＡ―Ａ線の断面図である。（実施の形態１）
【図３】カバーの形態を示す展開図である。（実施の形態１）
【図４】屋外端末部品の取付け作業を示す説明図である。（実施の形態１）
【図５】コーキング部分を示す拡大断面図である。（実施の形態１）
【符号の説明】
【００２１】
１  換気ダクト、  ２  ベース、  ３  カバー、  ４  背板、  ７  突出部、  ８  コーキング材、  ９  立上り、  １０  嵌込み溝、  １５  溝、  １８  嵌込み溝、  ２０  ネジ。
【図１】
0004926020.tif 000002
【図２】
0004926020.tif 000003
【図３】
0004926020.tif 000004
【図４】
0004926020.tif 000005
【図５】
0004926020.tif 000006